(57)【要約】【課題】小型軽量化を図るとともに、数日の間、夜間に非常点灯を行うことができる非常用照明器具を提供する。【解決手段】ＡＣ電源検出回路１１から出力された検出信号が、ＡＣ電源１００の電力供給が有ることを示しているとき、光センサ１４から出力された検知信号が示す周辺の明るさの変化に応じてＡＣ駆動用ＬＥＤ電源回路１８を制御し、夜間にＬＥＤ１９を点灯させる調光・電源制御部１５を備える。この調光・電源制御部１５は、ＡＣ電源検出回路１１からの検出信号がＡＣ電源１００の停電を示しているとき、光センサ１４からの検知信号に応じてＤＣ駆動用ＬＥＤ電源回路１７を制御し、停電している夜間に蓄電池１３を用いてＬＥＤ２０を点灯させ、光センサ１４の検知信号が示した周辺の明るさの変化からＡＣ電源１００の停電継続日を求め、停電継続日が２日以上になると蓄電池１３の電力消費を抑制してＬＥＤ２０を点灯させる。【選択図】図２
2013175346.tif 000002
【特許請求の範囲】
【請求項１】
商用電源の停電時に使用する蓄電池を備えた非常用照明器具において、
照明光を発光する発光体と、
前記商用電源を用いて前記発光体を点灯させる電圧を生成する第１駆動用電源部と、
前記蓄電池に蓄えられた電力を用いて前記発光体を点灯させる電圧を生成する第２駆動用電源部と、
前記商用電源の電力供給の有無を検出する電源検出部と、
前記非常用照明器具の周辺の明るさを検知する光センサと、
前記電源検出部から出力された検出信号が前記商用電源の電力供給が有ることを示しているとき、前記光センサから出力された検知信号が示す前記周辺の明るさの変化に応じて前記第１駆動用電源部を制御し、夜間に前記発光体を点灯させる制御部と、
を備え、
前記制御部は、
前記電源検出部からの検出信号が前記商用電源の停電を示しているとき、前記光センサからの検知信号に応じて前記第２駆動用電源を制御し、前記商用電源が停電している夜間に前記発光体を点灯させ、
前記光センサの検知信号が示した前記周辺の明るさの変化から前記商用電源の停電継続日を求め、前記停電継続日が２日以上になると前記蓄電池の電力消費を抑制して前記発光体を点灯させる、
ことを特徴とする非常用照明器具。
【請求項２】
前記制御部は、
前記停電継続日が２日目になると、前記停電の発生初日よりも明るさを抑えて前記発光体を点灯させる、
ことを特徴とする請求項１に記載の非常用照明器具。
【請求項３】
前記制御部は、
停電している夜間の所定期間が経過すると点灯している前記発光体の調光レベルを低下させ、
前記停電継続日が２日目になると、前記停電の発生初日よりも前記調光レベルを低下させるまでの前記所定期間を短縮する、
ことを特徴とする請求項１に記載の非常用照明器具。
【請求項４】
前記制御部は、
停電している夜間の所定期間が経過すると点灯している前記発光体の調光レベルを低下させ、
前記停電継続日が２日目になると、前記停電の発生初日よりも明るさを抑えて点灯させるとともに前記調光レベルを低下させるまでの前記所定期間を短縮する、
ことを特徴とする請求項１に記載の非常用照明器具。
【発明の詳細な説明】
【技術分野】
【０００１】
本発明は、災害時等による商用電源の停電時に、安全確保のための照明を効率良く確保する非常用照明器具に関するものである。
【背景技術】
【０００２】
従来の道路、街路、避難場所などに設置される屋外照明器具は、通常時には商用電源を用いて夜間に必要な照明光を発しているが、災害発生等によって停電状態になると発光することができなくなる。そのため、これらの照明器具には、蓄電池等を内蔵して停電時に非常用の明かりを確保するものがある。しかし、相当の重量を有する蓄電池等を備える必要があるため、照明器具全体の重量も重くなり、取付け・保守交換が困難になる。そのため、地上に近い位置に設置するように構成され、冠水などの水害等に対して脆弱となり、また施工性に制限が加わるものが多かった。
【０００３】
前述のように通常用の電源配線と非常用の蓄電池とを備えた照明装置として、例えば特開２００８−２３４３８１号公報に記載された屋外照明装置がある。
この屋外照明装置は、夜間、明け方、昼間、薄暮の各明るさレベルを検出するフォトスイッチを備え、夜間であることを検出したときには商用電源を光源に接続して点灯させる。また、薄暮や明け方であることを検出したときには、商用電源よりも電圧の低い充電池を光源に接続して夜間よりも３０〜５０％低い減光点灯を行う。また、昼間であることを検出したときには、充電池を充電回路に接続して充電を行うように構成されている。
この照明装置は、充電池のサイズを抑制するため、出力電圧の低いものを使用するとともに充電池の稼働時間を短く抑えており、夜間照明として十分な点灯時間や明るさを確保するように構成されたものではない。
【０００４】
また、太陽光パネルなどを用いたソーラ照明器具は、日照時には十分な発光を行うことができるが、商用電源を併用しない構成では夜間等において十分な照明光を発するために大容量の蓄電池を備える必要がある。このように太陽光パネルとともに大容量蓄電池を含めて構成すると、専用の大型ポール等を設置する必要があり、大掛かりな施工を要することから、多数の照明器具を設置する場合には設置スペースやコスト上の問題が生じる。
【先行技術文献】
【特許文献】
【０００５】
【特許文献１】特開２００８−２４３３８１号公報
【発明の概要】
【発明が解決しようとする課題】
【０００６】
従来の照明器具は上記のように構成されているので、供給が途絶えた商用電源に替えて使用する蓄電池等を内蔵した場合には外形や重量の増大が避けられず、簡便にポール等に取付けることができなくなり、取付け方法や設置スペース等に制約が生じるという問題点があった。
【０００７】
本発明は、上記のような課題を解決するためになされたもので、小型軽量化を図るとともに、数日の間、夜間に非常点灯を行うことができる非常用照明器具を提供することを目的とする。
【課題を解決するための手段】
【０００８】
この発明に係る非常用照明器具は、商用電源の停電時に使用する蓄電池を備えた非常用照明器具において、照明光を発光する発光体と、前記商用電源を用いて前記発光体を点灯させる電圧を生成する第１駆動用電源部と、前記蓄電池に蓄えられた電力を用いて前記発光体を点灯させる電圧を生成する第２駆動用電源部と、前記商用電源の電力供給の有無を検出する電源検出部と、前記非常用照明器具の周辺の明るさを検知する光センサと、前記電源検出部から出力された検出信号が前記商用電源の電力供給が有ることを示しているとき、前記光センサから出力された検知信号が示す前記周辺の明るさの変化に応じて前記第１駆動用電源部を制御し、夜間に前記発光体を点灯させる制御部とを備え、前記制御部は、前記電源検出部からの検出信号が前記商用電源の停電を示しているとき、前記光センサからの検知信号に応じて前記第２駆動用電源を制御し、前記商用電源が停電している夜間に前記発光体を点灯させ、前記光センサの検知信号が示した前記周辺の明るさの変化から前記商用電源の停電継続日を求め、前記停電継続日が２日以上になると前記蓄電池の電力消費を抑制して前記発光体を点灯させることを特徴とする。
【０００９】
また、前記制御部は、前記停電継続日が２日目になると、前記停電の発生初日よりも明るさを抑えて前記発光体を点灯させることを特徴とする。
【００１０】
また、前記制御部は、停電している夜間の所定期間が経過すると点灯している前記発光体の調光レベルを低下させ、前記停電継続日が２日目になると、前記停電の発生初日よりも前記調光レベルを低下させるまでの前記所定期間を短縮することを特徴とする。
【００１１】
また、前記制御部は、停電している夜間の所定期間が経過すると点灯している前記発光体の調光レベルを低下させ、前記停電継続日が２日目になると、前記停電の発生初日よりも明るさを抑えて点灯させるとともに前記調光レベルを低下させるまでの前記所定期間を短縮することを特徴とする。
【発明の効果】
【００１２】
この発明によれば、非常用として数日間使用することを可能として小型軽量に構成することができることから、多様な場所に設置することが可能になるとともに施工性を良好にすることができる。
【図面の簡単な説明】
【００１３】
【図１】この実施例による非常用照明器具の外観図である。
【図２】図１に示した非常用照明装置の回路構成を示す説明図である。
【図３】非常点灯を行う際の調光レベルの制御を示す説明図である。
【図４】調光・電源制御部の処理動作を示すフローチャートである。
【発明を実施するための形態】
【００１４】
以下、この発明の実施の一形態を説明する。
災害発生時などに停電状態が数日に亘って継続する場合、夜間に非常用照明器具を点灯させ、電力供給が復旧するまで十分な明るさを維持するには容量の大きな蓄電池が必要になる。そのため、非常用照明器具は、外形が大きくなるとともに重量も相当重くなることから、簡便に取り付けることが難しいものになる。
【００１５】
災害で停電発生時の初日の夜は、避難等で混乱状態になることが想定されるため、適切な明るさを確保して安全・安心が得られることを優先する必要がある。その後、数日間継続して停電状態が続く場合、各設備の復旧が進行することによって物理的に、また精神的に落ち着きを取り戻してくることから、夜間の明るさを停電の発生初日に比べて減光しても差し支えない状況になる。そこで、停電が発生してから２日目以降は、非常用照明器具において蓄電池の消費電力を抑制する制御を行う。
この制御により、非常用照明器具に備える蓄電池の容量を小さく抑えることが可能になり、非常用照明器具を小型軽量に構成することが容易になる。また、非常用照明器具を簡便に電柱やポール等に取付けることができ、特に屋外に設置する場合には施工性が向上し、また、設置コストを抑えることが可能になる。
停電初日以降の消費電力を抑制する制御としては、調光レベルを低下させることや、明るく点灯する時間を短く抑えることなどがあり、またさらに、これらの制御を組み合わせることが考えられる。
【００１６】
（実施例）
本発明の実施例を図に基づいて説明する。
図１は、この実施例による非常用照明器具の外観図である。この図は、非常用照明器具を電柱等に取付けた状態を側方視したものである。
図示した非常用照明器具１は、ＬＥＤ照明器具２とコントロールボックス３とからなり、ＬＥＤ照明器具２は、例えばコントロールボックス３の筐体を介して電柱４に取付けられる。コントロールボックス３の筐体は、例えば複数の取付けバンド５によって電柱４に取付け固定される。ＬＥＤ照明器具２は、発光体として例えば複数個の高輝度発光ダイオード（以下、ＬＥＤと記載する）を備え、各ＬＥＤの発した光が任意の範囲を照射するように構成されている。コントロールボックス３は、後述するようにＬＥＤ照明器具２へ点灯電力を供給する構成を有している。
【００１７】
図２は、図１に示した非常用照明装置の回路構成を示す説明図である。図示した非常用照明器具１には、商用電源であるＡＣ電源１００が外部から供給される。
図１のＬＥＤ照明器具２は、ＡＣ駆動用ＬＥＤ電源回路１８、ＡＣ点灯用ＬＥＤ１９、非常点灯用ＬＥＤ２０によって構成されている。
また、図１のコントロールボックス３は、外部から商用電源であるＡＣ電源１００が供給され、ＡＣ電源１００の供給をオン・オフさせるＡＣ電源スイッチ１０、ＡＣ電源検出回路１１、蓄電池充電回路１２、蓄電池１３、光センサ１４、調光・電源制御部１５、点検スイッチ１６、ＤＣ駆動用ＬＥＤ電源回路１７によって構成されている。なお、前述のＡＣ駆動用ＬＥＤ電源回路１８をコントロールボックス３に備えてもよい。
【００１８】
ＡＣ電源１００は、ＡＣ電源スイッチ１０、ＡＣ電源検出回路１１、蓄電池充電回路１２に供給される。
ＡＣ電源スイッチ１０は、例えば開閉スイッチからなり、ＡＣ駆動用ＬＥＤ電源回路１８に供給されるＡＣ電源１００の配線接続を開閉するように配設されている。また、ＡＣ電源スイッチ１０は、調光・電源制御部１５によって接点の開閉動作が制御される構成を有している。
ＡＣ電源検出回路１１は、非常用照明器具１に供給されるＡＣ電源１００の有無を検出し、この検出結果を示す検出信号を調光・電源制御部１５へ送出する構成を有している。また、ＡＣ電源検出回路１１は、ＡＣ電源スイッチ１０の開閉状態によらず、ＡＣ電源１００の供給状態を検出するように接続構成されている。
蓄電池充電回路１２は、ＡＣ電源１００を入力して蓄電池１３を充電する直流電圧・電流を生成し、適当な値の充電電流を適宜蓄電池１３へ供給する構成を有し、例えばＡＣ電源スイッチ１０の開閉状態によらず、ＡＣ電源１００が供給されるように接続構成されている。
【００１９】
蓄電池１３は、繰り返し充電が可能な２次電池からなり、蓄電池充電回路１２に接続されるとともに、自身に蓄積されている直流電力をＤＣ駆動用ＬＥＤ電源回路１７へ供給するように接続されている。
光センサ１４は、非常用照明器具１の周辺、即ち、図１のコントロールボックス３の外部に設けられている。詳しくは、例えば当該非常用照明器具１を屋外に設置する場合には、コントロールボックス３上方の空の明暗を検知することができるように、コントロールボックス３の筐体上面等に配設される。またさらに、光センサ１４は、ＬＥＤ点灯照明器具２の照明光に反応しないように備えられ、当該照明光が照射されない位置に設置される。
また、光センサ１４は、蓄電池１３に蓄えられている電力を用いて稼動し、検知結果を示す出力信号（検知信号）を調光・電源制御部１５へ入力するように配線接続されている。
【００２０】
調光・電源制御部１５は、例えば、制御プログラム等を格納する不揮発性メモリ、上記の制御プログラムを用いて所定の制御を行うプロセッサ、このプロセッサがデータや制御信号を入出力する際の同期等を行う入出力回路などによって構成され、ＡＣ電源検出回路１１や光センサ１４などから出力された信号の意を、上記の制御プログラム等を用いて判断し、ＤＣ駆動用ＬＥＤ電源回路１７の動作を制御するように構成されている。
また、調光・電源制御部１５は、ＡＣ電源１００の供給の有無によらず動作することができるように、例えば蓄電池１３から供給される直流電力を用いて稼働する構成を有している。
【００２１】
またさらに、調光・電源制御部１５には、点検スイッチ１６が接続されている。
点検スイッチ１６は、例えば、ＡＣ電源１００によってＡＣ点灯用ＬＥＤ１９が点灯しているときに、当該点検スイッチ１６の操作に応じて、ＡＣ電源スイッチ１０を開状態とするとともに蓄電池１３に蓄えられている電力をＤＣ駆動用ＬＥＤ電源回路１７へ供給し、非常点灯用ＬＥＤ２０を点灯させる制御を調光・電源制御部１５に行わせるもので、当該調光・電源制御部１５に含まれるプロセッサ等の所定の制御ポートなどに、パルス信号、もしくは有意を示す電位を入力するように接続構成されている。
【００２２】
ＤＣ駆動用ＬＥＤ電源回路１７は、出力端子が非常点灯用ＬＥＤ２０に接続されており、調光・電源制御部１５の制御に応じて、蓄電池１３からの直流電力を用いて非常点灯用ＬＥＤ２０を点灯させる電圧・電流を生成する構成を有している。
ＡＣ駆動用ＬＥＤ電源回路１８は、出力端子がＡＣ点灯用ＬＥＤ１９に接続されており、ＡＣ電源スイッチ１０を介して入力したＡＣ電源１００を用いてＡＣ点灯用ＬＥＤ１９を点灯させる電圧・電流を生成する構成を有している。
ＡＣ点灯用ＬＥＤ１９、ならびに非常点灯用ＬＥＤ２０は、それぞれ複数個の高輝度ＬＥＤを接続させたもので、どちらも図１のＬＥＤ照明機器２に備えられている。
【００２３】
次に動作について説明する。
初めに、ＡＣ電源１００が途絶えて蓄電池１３に蓄えられている電力を用いて非常点灯用ＬＥＤ２０を点灯させる際に行われる調光レベルの制御を説明する。
図３は、非常点灯を行う際の調光レベルの制御を示す説明図である。この図は、非常点灯の経過時間を横軸とし、非常点灯用ＬＥＤ２０の調光レベルを縦軸に示したもので、点灯させてからの経過時間に応じて変化させた調光レベルを示している。
【００２４】
図３（ａ）は、屋外に設置する一般的な非常用照明器具の調光レベル制御を示したもので、停電発生に応じて蓄電池を使用して点灯を行うとき、例えば日没から就寝前までの夜間時間帯（期間Ｔ１）では１００％の調光レベルで点灯させ、就寝時間等となる深夜から日の出までの時間帯（期間Ｔ２）になると３０％の調光レベルに減光して点灯させる。このように調光レベルを制御することにより、停電期間中の電力消費を抑制して数日間にわたって蓄電池を使用した夜間照明を行う。この調光レベルの制御では、毎日同様な調光レベルの制御が行われるため、各停電継続日において同様な電力量が消費される。
【００２５】
図３（ｂ）は、屋外に設置するこの実施例による非常用照明器具１の調光レベルの制御例を示したもので、ＡＣ電源１００の電力供給が停止した初日には期間Ｔ１において１００％の調光レベルで点灯を行い、期間Ｔ２になると３０％の調光レベルに減光して点灯を行う。
ＡＣ電源１００の電力供給が停止した２日目には、期間Ｔ１において３０％の調光レベルで点灯を行い、期間Ｔ２になると１０％の調光レベルに減光して点灯を行う。このように停電発生から２日目になると、初日よりも調光レベルを低下させて点灯を行い、２日目の電力消費量を初日よりもさらに抑制する。
【００２６】
図３（ｃ）は、屋外に設置するこの実施例による非常用照明器具１の調光レベルの他の制御例を示したもので、ＡＣ電源１００の電力供給が停止した初日には、図３（ｂ）に示したものと同様に、期間Ｔ１において１００％の調光レベルで点灯を行い、以降の期間Ｔ２では３０％の調光レベルに減光して点灯を行う。
ＡＣ電源１００の電力供給が停止した２日目には、期間Ｔ１において１００％の調光レベルで点灯させる時間を初日よりも短時間にする。即ち、２日目の１００％調光の期間Ｔ３を初日の１００％調光の期間Ｔ１よりも短縮して、深夜時間帯などの期間を３０％調光レベルに減光して点灯させ、２日目の電力消費量を初日よりもさらに抑制する。
【００２７】
この実施例による非常用照明器具１は、停電が発生した初日よりも２日目における電力消費量を抑えることにより、蓄電池１３を使用することができる期間を引き延ばすものであり、生活に支障が生じない程度、換言すると、夜間の作業や家事などにおいて許容できる程度に調光レベルを低下させる。図３（ｂ）に例示した制御は、２日目の夜間の調光レベルを全体的に低く抑えるものであり、図３（ｃ）に例示した制御は、高い調光レベルとする期間を短期に抑えるもので、これらの制御を組み合わせることも可能である。また、ここでは、停電発生から２日目までを例示して説明しているが、停電３日目以降については、上述の２日目の制御を繰り返し行うようにしてもよいし、当該２日目よりもさらに電力消費量を抑制する制御を行ってもよい。
また、図３（ｂ）に示した制御は、夜間の時間帯を期間Ｔ１と期間２に分けて調光レベルを段階的に低減するものであるが、例えば、点灯時間の経過に伴って徐々に調光レベルを低減させ、照明光を暗くするようにしてもよい。このように夜更けになるほど（夜明けが近くなるほど）徐々に明るさを落す場合にも、停電継続２日目の点灯時の明るさを、停電初日よりも抑えて点灯させ、蓄電池１３の電力消費を抑制する。
【００２８】
図４は、調光・電源制御部の処理動作を示すフローチャートである。
次に、図４のフローチャートを用いて調光・電源制御部１５の制御内容を説明する。
前述のように例えば蓄電池１３の電力を用いて動作している調光・電源制御部１５は、光センサ１４から出力される検知信号を所定の周期で監視し、例えば、前回入力した検知信号と今回入力した検知信号とを比較して、周辺の明るさが暗く変化したか否かを判定する（ステップＳ１０１）。
ステップＳ１０１の工程において、周辺が暗くなったと判定したときには、ＡＣ電源検出回路１１から出力される検出信号の内容を用いて、ＡＣ電源１００が供給されているか否か、即ち、商用電源が停電状態か否かを判定する（ステップＳ１０２）。
【００２９】
ステップＳ１０２の工程において停電状態であると判定したときには、調光・電源制御部１５自身に記憶されている停電継続日が２日以上か否かを判定する（ステップＳ１０３）。停電継続日が２日以上であると判定したときには、例えば図３（ｂ）、または図３（ｃ）に示した２日目の調光レベルの制御を行う、予め調光・電源制御部１５自身に記憶設定されている“２日目の非常点灯モード”を起動する（ステップＳ１０４）。２日目の非常点灯モードを起動すると、当該２日目の非常点灯モードの内容に則してＤＣ駆動用ＬＥＤ電源回路１７を制御し、蓄電池１３からの電力を用いて例えば図３（ｂ）や図３（ｃ）に示した２日目の夜間時間帯（期間Ｔ１）の調光レベルで非常点灯用ＬＥＤ２０を点灯させる。
【００３０】
また、ステップＳ１０３の工程で停電継続日が２日以上ではないと判定したときには、例えば図３（ｂ）や図３（ｃ）に示した１日目の調光レベルの制御を行う、予め調光・電源制御部１５自身に記憶設定されている“１日目の非常点灯モード”を起動し（ステップＳ１０５）、停電継続日が１日目であることを自身に記憶設定する（ステップＳ１０６）。１日目の非常点灯モードを起動すると、当該１日目の非常点灯モードとして設定されているようにＤＣ駆動用ＬＥＤ電源回路１７を制御し、蓄電池１３からの電力を用いて例えば図３（ｂ）や図３（ｃ）に示した１日目の夜間時間帯（期間Ｔ１）の調光レベルで非常点灯用ＬＥＤ２０を点灯させる。
【００３１】
前述のステップＳ１０２の工程において、停電状態ではないと判定したときには、予め調光・電源制御部１５自身に記憶設定されている“通常点灯モード”をセット（例えば、ただちに稼動可能な状態にロード）する（ステップＳ１０７）。
ステップＳ１０４、ステップＳ１０６、および、ステップＳ１０７の各工程を処理した後、現在の光センサ１４の検知信号が「暗」（非常用照明器具１の周辺や上空が暗いこと）を示しているか否かを判定する（ステップＳ１０８）。
光センサ１４の検知信号が「暗」を示していると判定したときには、ＡＣ電源検出回路１１の検出信号から現在停電状態か否かを判定する（ステップＳ１０９）。停電状態であると判定したときには、調光・電源制御部１５が自ら備える非常時タイマを始動させる。
【００３２】
次に、動作中の非常時タイマの示す時間が、このとき起動している“１日目の非常点灯モード”または“２日目の非常点灯モード”に設定されている期間Ｔ１を経て調光レベルを低減させる切替時間に成ったか否かを判定する（ステップＳ１１０）。切替時間に達したと判定したときには、例えば図３（ｂ）に示した期間Ｔ２や、図３（ｃ）に示した期間Ｔ３の経過した後の期間に示したように、点灯中の非常点灯用ＬＥＤ２０の調光レベルを低減する非常時調光度制御を行い（ステップＳ１１１）、ステップＳ１０１の工程に戻って以降の各工程を繰り返す。
【００３３】
ステップＳ１１０の工程において、非常時タイマが切替時間に達していないと判定したときには、ステップＳ１０１の工程に戻って以降の各工程を繰り返す。
またステップＳ１０９の工程において、停電状態ではないと判定したときには、ステップＳ１０７の工程で起動させた通常点灯モードの制御を行う。具体的には、ＡＣ電源スイッチ１０を制御して当該ＡＣ電源スイッチ１０を閉状態とし、ＡＣ駆動用ＬＥＤ電源回路１８にＡＣ電源１００を供給する。するとＡＣ駆動用ＬＥＤ電源回路１８は、所定の直流電圧を生成し、この直流電圧をＡＣ点灯用ＬＥＤ１９に供給して発光させ、ＬＥＤ照明器具２を点灯させる。このように通常点灯制御を行い（ステップＳ１１２）、ステップＳ１０１の工程に戻って以降の各工程を繰り返す。
前述のステップＳ１０８の工程において、光センサ１４の検知信号は「暗」を示していないと判定したときには、ステップＳ１０１の工程に戻って以降の各工程を繰り返す。
【００３４】
前述のステップＳ１０１の工程において、光センサ１４の検知信号から周辺の明るさが「明」から「暗」に変化していないと判定したとき、当該光センサ１４の検知信号が「暗」から「明」に変化したか否かを判定する（ステップＳ１１３）。具体的には、光センサ１４から入力した、前回の検知信号と今回の検知信号とを比較し、周辺の明るさが暗く変化したか否かを判定する。
光センサ１４の検知信号が「暗」から「明」に変化したと判定したときには、ＡＣ電源検出回路１１の検出信号を用いて停電状態か否かを判定する（ステップＳ１１４）。停電状態であると判定したときには、予め自身に記憶設定されている“非常消灯モード”を起動させ、このモードの設定に応じてＤＣ駆動用ＬＥＤ電源回路１７を制御して非常点灯用ＬＥＤ２０を消灯させる。また、自ら記憶している停電継続日数に１日加算して例えば停電継続日を２日目として記憶し、順次停電継続日数を更新する（ステップＳ１１５）。この後、ステップＳ１０８の工程に移行する。
【００３５】
ステップＳ１１４の工程において、停電状態ではないと判定したときには、予め記憶設定されている“通常消灯モード”を起動し（ステップＳ１１６）、ＡＣ電源スイッチ１０を開状態に制御してＡＣ点灯用ＬＥＤ１９を消灯する。次に、自ら記憶している停電継続日を“０”にリセットし（ステップＳ１１７）、ステップＳ１０８の工程に移行する。また、通常消灯モードが起動したとき、例えば調光・電源制御部１５が蓄電池充電回路１２を稼働させて蓄電池１３に充電を行う。
前述のステップＳ１１３の工程において、光センサ１４の検知信号から周辺の明るさが「暗」から「明」に変化していないと判定したときには、ステップＳ１０８の工程に移行する。
【００３６】
また、ステップＳ１０３の工程において、停電継続日が３日目以上となったことを認識したときには、例えば、ステップＳ１０４の工程を実行して２日目以降の非常用点灯モードを実行し、その後の各工程を同様に実行・処理する。または、予め３日目以降の非常用点灯モードを記憶設定しておき、ステップＳ１０４の工程において、上記の点灯モードを２日目の非常用点灯モードに代えて実行してもよい。
【００３７】
この実施例によれば、停電継続日が２日目以降になると調光レベルや点灯時間を抑制して非常点灯用ＬＥＤ２０を点灯させるようにしたので、蓄電池１３に蓄えられた電力の消費を効率よく抑制することができ、蓄電池１３として小型軽量のものを使用することが可能になる。
また、小型軽量の蓄電池１３を使用することができることから、非常用照明器具１を軽量に構成することができ、比較的簡素な取付けポール等を用いて設置することが可能になる。また、設置スペースを抑えることができるとともに、設置に要するコストを抑制することができる。
また、停電初日を比較的明るく点灯し、停電が継続して２日目になると照明の明るさや点灯時間を抑えるようにしたので、周辺の状況が安定してから蓄電池１３の電力消費を抑えることにより、夜間の作業などに支障が生じることを抑えながら、数日にわたって非常点灯を行うことができる。
【００３８】
この実施例で説明した非常用照明器具１は、ＬＥＤ照明器具２を点灯させるように構成したものであるが、蓄電池１３から供給される電力を使用して前述のように長時間点灯することができる発光体であれば、どのようなものでも本発明の非常用照明器具に用いることが可能である。
【符号の説明】
【００３９】
１非常用照明器具
２ＬＥＤ照明器具
３コントロールボックス
４電柱
５取付けバンド
１０ＡＣ電源スイッチ
１１ＡＣ電源検出回路
１２蓄電池充電回路
１３蓄電池
１４光センサ
１５調光・電源制御部
１６点検スイッチ
１７ＤＣ駆動用ＬＥＤ電源回路
１８ＡＣ駆動用ＬＥＤ電源回路
１９ＡＣ点灯用ＬＥＤ
２０非常点灯用ＬＥＤ
１００ＡＣ電源
【図１】
2013175346.tif 000003
【図２】
2013175346.tif 000004
【図３】
2013175346.tif 000005
【図４】
2013175346.tif 000006